(57)【要約】  運搬機器３に少なくとも１つの容器２、特にケースを装着するための装置１であって、容器２の凹部１１に挿入される保持ブラケット４により達成される。容器２が第１及び第２の軸受ピン１３、１４を備えた保持ブラケット４に留め付けられて運搬機器３に装着される。運搬機器３は第１の軸受ピン１３を収容するための第１の軸受要素５と、第２の軸受ピン１４を収容するための第２の軸受要素６とを備え、第１及び第２の軸受ピン１３、１４は特定の軸受要素５、６において共有軸Ｒの周りを回ることができる。保持ブラケット４は運搬機器３上の第１及び第２の面で可逆的に位置することができ、第１の面にある時は実質的に水平方向に延び且つ第２の面にある時は実質的に垂直方向に延びる。保持ブラケット４が第２の面に位置する場合、容器２の凹部１１に挿入可能となる。第１及び第２の軸受要素５、６はそれぞれ凹部１５、１６を備え、保持ブラケット４が取出し位置に位置する場合、第１及び第２の軸受ピン１３、１４は軸受要素５、６から取出し可能となる。【選択図】なし【特許請求の範囲】
【請求項１】
運搬機器（３）に少なくとも１つの容器（２）、特にケースを装着するための装置（１）であって、
前記容器（２）の凹部（１１）に挿入するための保持ブラケット（４）であって、前記容器（２）は前記保持ブラケット（４）に留め付けられ、前期保持ブラケット（４）は第１及び第２の軸受ピン（１３、１４）を備え、前記容器（２）は前記保持ブラケット（４）に留め付けられて前記運搬機器（３）に装着され、
前記運搬機器（３）は前記第１の軸受ピン（１３）を収容するための第１の軸受要素（５）と、前記第２の軸受ピン（１４）を収容するための第２の軸受要素（６）とを備え、前記第１及び第２の軸受ピン（１３、１４）は前記軸受要素（５、６）内で共有軸（Ｒ）の周りを回ることができ、
前記保持ブラケット（４）は前記運搬機器（３）の第１及び第２の面で可逆的に位置することができ、前記第１の面は実質的に水平方向に延び且つ前記第２の面は実質的に垂直方向に延び、前記保持ブラケット（４）が前記第２の面に配置される場合、前記保持ブラケット（４）は前記容器（２）の前記凹部（１１）に挿入可能になり、
前記第１及び第２の軸受要素（５、６）はそれぞれ凹部（１５、１６）を備え、前記保持ブラケット（４）が取出し位置に配置されている場合、前記第１及び第２の軸受ピン（１３、１４）が前記軸受要素（５、６）から取出し可能となる
よう構成された装置（１）。
【請求項２】
前記第１及び第２の軸受要素（５、６）はそれぞれ弾性要素を備え、よって前記軸受要素（５、６）において前記凹部（１５、１６）の開口幅が可変となる、ことを特徴とする請求項１に記載の装置（１）。
【請求項３】
前記第１又は第２の面で前記保持ブラケットを確実に留め付けるための位置決め装置（Ｐ）を備える、ことを特徴とする請求項１又は２に記載の装置（１）。
【請求項４】
前記位置決め装置（Ｐ）は、少なくとも１つのノッチ（６０）と、前記ノッチ（６０）に対応する突起（３２）とを備える、ことを特徴とする請求項３に記載の装置。
【発明の詳細な説明】
【技術分野】
【０００１】
本発明は、運搬機器に少なくとも１つの容器、特にケースを装着するための装置であって、容器の凹部に挿入される保持ブラケットを備え、それにより容器が運搬機器に装着される。この保持ブラケットは第１及び第２の軸受ピンを備える。この運搬機器には、第１の軸受ピンを収容するための第１の軸受要素と第２の軸受ピンを収容するための第２の軸受要素とが備えられ、第１及び第２の軸受ピンは特定の軸受要素内において共有軸の周りを回ることができる。保持ブラケットは第１及び第２の面に可逆的に位置することができ、第１の面にある時は実質的に水平方向に延び且つ第２の面にある時は実質的に垂直方向に延びる。保持ブラケットが第２の面に配置される場合、容器の凹部に挿入可能となる。
【背景技術】
【０００２】
工具、特にケースを備えた容器は、建設現場への搬出入が大きな問題となることが多い。この容器は大重量及び／又は大規模のものが多く、容器の長距離及び長時間の持ち運びはほぼ不可能である。運搬機器、例えば、可動水処理装置は、大重量且つ大規模な容器の運搬に使用することができる。しかし、運搬機器、例えば、水処理装置に容器を装着するための先行技術の装置は実用的でないことが多く、不適切に使用すると簡単に故障し得る。特に、容器を保持装置から適切に外さなければ、保持装置は変形し故障し得る。
【発明の概要】
【発明が解決しようとする課題】
【０００３】
そのため、本発明の目的は、少なくとも１つの容器、特にケースを運搬機器に装着する装置であって、不適切に使用された場合にも保持装置への損傷を容易に防ぐことができる装置を提供することである。
【課題を解決するための手段】
【０００４】
この目的は、独立項１の要旨により達成される。従属項は、本発明の要旨の優位性のある態様を記載している。
【０００５】
本発明の目的は、運搬機器に少なくとも１つの容器、特にケースを装着するための装置であって、容器の凹部に挿入される保持ブラケットにより達成される。容器が第１及び第２の軸受ピンを備えた保持ブラケットに留め付けられて運搬機器に装着される。運搬機器は、第１の軸受ピンを収容するための第１の軸受要素と、第２の軸受ピンを収容するための第２の軸受要素とを備え、第１及び第２の軸受ピンは特定の軸受要素内において共有軸の周りを回ることができる。保持ブラケットは第１及び第２の面に可逆的に位置することができ、第１の面にある時は実質的に水平方向に延び且つ第２の面にある時は実質的に垂直方向に延びる。保持ブラケットが第２の面に位置する場合、容器の凹部に挿入可能となる。
【０００６】
本発明では、水供給装置において、第１及び第２の軸受要素はそれぞれ凹部を備え、保持ブラケットが取出し位置に配置されている場合、第１及び第２の軸受ピンが特定の軸受要素から取出し可能である。
【０００７】
本発明の１つの優位性のある態様において、第１及び第２の軸受要素はそれぞれ弾性要素を備え、よって特にそれらの軸受要素において凹部の開口幅が可変となる。
【０００８】
本発明のもう１つの優位性のある態様においては、第１又は第２の面で保持ブラケットを確実に留め付けるための位置決め装置が備えられている。
【０００９】
本発明の１つの優位性のある態様においては、位置決め装置は、少なくとも１つのノッチと、そのノッチに対応する突起とを備える。
【００１０】
さらなる優位性は、以下の図面についての記載により実現する。本発明の様々な実施例が図面に示されている。図面、発明の詳細な説明、及び請求の範囲には、様々な技術的特徴の組み合わせが記載されている。当業者は、それぞれの特徴を考慮し、さらなる有意義な組み合わせを実現するであろう。
【００１１】
図面では、同一及び同等の要素が同一の参照番号により特定されている。
【図面の簡単な説明】
【００１２】
【図１】ケースとして構成された容器を装着するための本発明の装置を備えた、水処理装置として構成された運搬機器の側面図である。
【図２】容器を装着するための本発明の装置を備えた運搬機器の後方図である。
【図３】保持ブラケットが第１の面に位置している、容器を装着するための本発明の装置を備えた運搬機器の斜視図である。
【図４】保持ブラケットが第１の面に位置している、容器を装着するための装置の詳細図である。
【図５】保持ブラケットが第２の面に位置している、容器を装着するための本発明の装置を備えた運搬機器の斜視図である。
【図６】保持ブラケットが第２の面に位置している、容器を装着するための装置の詳細図である。
【図７】保持ブラケットの斜視図である。
【図８】デテントラグを備えた保持ブラケットの詳細斜視図である。
【図９】保持ブラケットの後方図である。
【図１０】軸受要素及びデテント溝を備えた位置決め装置の詳細図である。
【図１１】軸受要素及びデテント溝を備えた位置決め装置のさらなる詳細図である。
【発明を実施するための形態】
【００１３】
図１、２、及び３は、運搬機器３に少なくとも１つの容器２、特にケースを装着するための装置１を示す。ここで運搬機器３は水処理装置であって、電動工具、例えば、コアドリルに洗浄用及び冷却用の水を供給するために用いられる。このケースは、特に電動工具、例えば、ドリルハンマ又は研削機を収納するために用いられる。
【００１４】
装置１は必要なものとして、保持ブラケット４と、第１の軸受要素５と、第２の軸受要素６とを備える。
【００１５】
特に図７が示す通り、保持ブラケット４は、基体要素７と、第１の柱状突起要素８と、第２の柱状突起要素９とを備える。第１及び第２の柱状突起要素８、９は互いに平行に配置され、基体要素７と垂直に位置している。第１及び第２の柱状突起要素８、９のそれぞれが、第１の端部８ａ、８ｂ及び第２の端部９ａ、９ｂを備える。特に図８及び９が示す通り、第１及び第２の柱状突起要素８、９の特定の第１の端部８ａ、９ａは、基体要素７に接続されている。図７から明らかな通り、第１及び第２の柱状突起要素８、９の間に接続要素１０が配置されている。この接続要素１０はＡ方向から見て第１及び第２の柱状突起要素８、９の長さの最後の約３分の１の区分に位置し、２つの柱状突起要素８、９が互いに離れないようにするために用いられている。しかし、接続要素１０は、柱状突起要素８、９の中間に位置することも、柱状突起要素８、９の特定の第２の端部８ｂ、９ｂに位置することもできる。接続要素１０は、支持又は安定化要素と呼ぶこともできる。
【００１６】
保持ブラケット４又は保持ブラケット４の２つの柱状突起要素８、９は、ケースとして構成される容器２の凹部１１への挿入に用いられ、よって容器２は保持ブラケット４に留め付けられるとともに水処理装置として構成される運搬機器３に装着される。ケース２の凹部１１はケース２のハンドル１２に配置され、実際にユーザーがケース２のハンドル１２を片手で掴むことができるよう使用される。
【００１７】
さらに、保持ブラケット４は、第１及び第２の軸受ピン１３、１４を備える。第１の軸受ピン１３は、第１の柱状突起要素８の第１の端部８ａに配置される。第２の軸受ピン１４は、第２の柱状突起要素９の第１の端部９ａに配置される。図７及び８が示す通り、第１及び第２の軸受ピン８、９はそれぞれ、円形の断面領域を有する円筒として構成される。軸受ピン１３、１４の両方が２つの柱状突起要素８、９に対し水平又は垂直方向に延びる。
【００１８】
図１０及び１１が示す通り、第１の軸受要素５は第１の軸受ピン１３を収容し支持するよう構成され、第２の軸受要素６は第２の軸受ピン１４を収容し支持するよう構成されている。第１及び第２の軸受ピン１３、１４は特に軸受要素５、６内で、共有軸Ｒの周りを回転可能で、保持ブラケット４全体が第１及び第２の面に可逆的に配置され得る。第１の面は実質的に水平方向に延び、第２の面は実質的に垂直方向に延びている。図４において、第１の水平面に位置する保持ブラケット４が示されている。図１、２、３、及び５は、第２の垂直面に位置する保持ブラケット４を示す。
【００１９】
保持ブラケット４が第１の水平面に配置される場合、保持ブラケット４は、水処理装置として構成される運搬機器３の上面に対して平たく押しつけられている。対照的に、保持ブラケット４が第２の垂直面に配置される場合、保持ブラケット４すなわちその２つの柱状突起要素８、９は水処理装置として構成される運搬機器３の上面から垂直に突出し、そのため保持ブラケット４はケースとして構成される容器２の凹部１１に挿入され得る。
【００２０】
第１及び第２の軸受要素５、６の両方がそれぞれ凹部１５、１６を備えているので、保持ブラケット４が取出し位置にある場合、第１及び第２の軸受ピン１３、１４は特定の軸受要素５、６から取出しできる。図１０及び１１が示す通り、第１及び第２の軸受要素５、６の形状はＳ型である。Ｓ型の円弧下部は凹部を備え、軸受ピン１３、１４の実際のレセプタクルすなわち軸受を形成する。円弧下部は弾性又は柔軟性を持つよう構成されており、円弧下部へ圧力がかかっても軸受要素５、６の損傷には直接つながらない。特定の軸受要素５、６は、円弧上部により、水処理装置として構成される運搬機器３に配置される。第１の軸受要素５の円弧上部は第１の留め要素２５を囲み、第２の軸受要素６の円弧上部は第２の留め要素２６を囲む。第１及び第２の留め要素２５、２６の両方が十字型の断面領域を有するピンとして構成される。第１の軸受要素５はＢ方向で第１の留め要素２５から取出しでき、第２の軸受要素６はＢ’方向で第２の留め要素２６から取出しできる。
【００２１】
さらに、保持ブラケット４の基体要素７は、中央レセプタクル要素３０と凹部４０とを備える（図８）。レセプタクル要素３０は、突出３２と、窪み３４とを備える。
【００２２】
さらに、装置１は弾性的に支持された留め要素５０を備え、留め要素５０は水処理装置として構成される運搬機器３の上面に配置され、第１及び第２の軸受要素５、６の間に配置される。保持ブラケット４が運搬機器３に配置される場合、この留め要素５０が第１又は第２の面で保持ブラケット４を留め付け又は係止するために用いられる。留め要素５０は水平方向に延びるノッチ６０を備える。組み立てられた状態、すなわち軸受ピン１３、１４が軸受要素５、６に位置した場合、留め要素５０は保持ブラケット４に当接する。保持ブラケット４が第１の水平面に置かれた場合、レセプタクル要素３０の自由端は留め要素５０のノッチ６０に押接される。保持ブラケット４が第２の垂直面に配置された場合、レセプタクル要素３０の突起３２が留め要素５０のノッチ６０に収まる。レセプタクル要素３０の窪み３４及び凹部４０は、レセプタクル要素３０が留め要素５０上又はその周りで移動できるようにするために主に用いられる。
【００２３】
レセプタクル要素３０と留め要素５０の組み合わせを位置決め装置Ｐと呼んでもよく、この位置決め装置Ｐにより保持ブラケット４を第１又は第２の面に配置することができる。
【００２４】
保持ブラケット４が運搬機器３に留め付けられている場合、保持ブラケット４はＮ方向に第１の水平面から第２の面に可逆的に移動することができる。上述の通り、軸受ピン１３、１４は軸受要素５、６での回転を可能にする。保持ブラケット４は、レセプタクル要素３０及び留め要素５０により、第１又は第２の面に係止させられ得る。弾性的に支持された留め要素４は、レセプタクル要素３０の係止状態からの離脱を可能にする。
【００２５】
保持ブラケット４が第２の面からさらにＮ方向に回転した場合、保持ブラケット４は取出し位置に位置する。この取出し位置において、保持ブラケット４を運搬機器３から外すこと、すなわち軸受要素５、６から軸受ピン１３、１４をＣ方向に外して取出すことができる。
【００２６】
保持ブラケット４が第２の面からＮ方向にさらに押圧されると、軸受要素５、６の凹部１５、１６及び軸受要素５、６の円弧下部の弾性又は柔軟性により、軸受ピン１３、１４を軸受要素５、６から取出すことができ、その場合軸受要素５、６及び特に軸受要素５、６の円弧下部が保持ブラケット４により損傷を受けることはない。
【図１】
2019532736.tif 000002
【図２】
2019532736.tif 000003
【図３】
2019532736.tif 000004
【図４】
2019532736.tif 000005
【図５】
2019532736.tif 000006
【図６】
2019532736.tif 000007
【図７】
2019532736.tif 000008
【図８】
2019532736.tif 000009
【図９】
2019532736.tif 000010
【図１０】
2019532736.tif 000011
【図１１】
2019532736.tif 000012
【国際調査報告】
2019532736.tif 000013
2019532736.tif 000014
2019532736.tif 000015
2019532736.tif 000016
2019532736.tif 000017
2019532736.tif 000018